(57)【特許請求の範囲】
【請求項１】
ホット飲料水を製造するための湯タンク、コールド飲料水を製造するための冷却装置などを備えた自動販売機の運転制御装置において、
少なくとも前記湯タンク内の湯温と、前記冷却装置により得られる飲料用冷水の温度と、前記ホット飲料水及び前記コールド飲料水の各売れ切れか否かの判断結果とに基づいて、前記湯タンク又は前記冷却装置に対する優先運転制御を実行し、かつ前記ホット飲料水及び前記コールド飲料水のいずれもが売れ切れであれば、前記湯タンク及び前記冷却装置に対する省エネルギー運転制御を実行する運転制御手段、
を具備したことを特徴とする自動販売機の運転制御装置。
【請求項２】
ホット飲料水を製造するための湯タンク、コールド飲料を製造するための冷却装置などを備えた自動販売機の運転制御装置において、
前記ホット飲料水と前記コールド飲料水との売上げの割合、前記ホット飲料水と前記コールド飲料水との各販売の割り当てに基づいて、前記湯タンク又は前記冷却装置に対する省エネルギー運転制御を実行する運転制御手段、
を具備したことを特徴とする自動販売機の運転制御装置。
【請求項３】
ホット飲料水を製造するための湯タンク、コールド飲料を製造するための冷却装置などを備えた自動販売機の運転制御装置において、
少なくとも前記湯タンク内の湯温と、前記冷却装置により得られる飲料用冷水の温度と、前記ホット飲料水及び前記コールド飲料水の各売れ切れか否かの判断結果とに基づいて、前記湯タンク又は前記冷却装置に対する優先運転制御を実行し、かつ前記ホット飲料水及び前記コールド飲料水のいずれもが売れ切れであれば、前記湯タンク及び前記冷却装置に対する省エネルギー運転制御を実行する第１の運転制御手段と、
前記ホット飲料水と前記コールド飲料水との売上げの割合、前記ホット飲料水と前記コールド飲料水との各販売の割り当てに基づいて、前記湯タンク又は前記冷却装置に対する省エネルギー運転制御を実行する第２の運転制御手段と、
を具備したことを特徴とする自動販売機の運転制御装置。
【請求項４】
前記湯タンク内の湯温が低いとともに前記冷却装置の飲料用冷水が適温又は前記ホット飲料水が売れ切れでなく前記コールド飲料水が売れ切れの場合に前記湯タンクに対する優先運転制御を実行し、
かつ前記冷却装置の飲料用冷水が不適温、前記ホット飲料水が売れ切れで前記コールド飲料水が売れ切れでない場合に前記冷却装置に対する優先運転制御を実行する機能を備えたことを特徴とする請求項１又は３記載の自動販売機の運転制御装置。
【請求項５】
前記湯タンク内の湯温が低温で前記冷却装置の水温が適温である場合、又は前記湯タンク内の湯温が適温で前記冷却装置の水温も適温、前記冷却装置内に氷があり、前記ホット飲料水が売れ切れでなく、前記コールド飲料水が売れ切れの場合に前記湯タンクに対する優先運転制御を実行し、
かつ前記湯タンク内の湯温が適温で前記冷却装置の水温が高温の場合、前記湯タンク内の湯温及び前記冷却装置の水温が共に適温で、前記冷却装置内に前記氷が無い場合、又は前記湯タンク内の湯温及び前記冷却装置の水温が共に適温で、前記冷却装置内に前記氷があり、かつ前記ホット飲料水が全て売れ切れであるが、前記コールド飲料水は全て売れ切れでない場合に前記冷却装置に対する優先運転制御を実行する機能を備えたことを特徴とする請求項１又は３記載の自動販売機の運転制御装置。
【請求項６】
前記ホット飲料水の売上げ数が多い場合、前記ホット飲料水の販売の割り当てが多ければ前記湯タンクに対して通常運転制御を実行するとともに前記冷却装置に対して省エネルギー運転制御を実行し、前記コールド飲料水の販売の割り当てが多ければ前記湯タンク及び前記冷却装置に対して各省エネルギー運転制御を実行し、
かつ前記コールド飲料水の売上げ数が多い場合、前記コールド飲料水の販売の割り当てが多ければ前記冷却装置に対して通常運転制御を実行するとともに前記湯タンクに対して省エネルギー運転制御を実行し、前記ホット飲料水の販売の割り当てが多ければ前記湯タンク及び前記冷却装置に対して各省エネルギー運転制御を実行する機能を備えたことを特徴とする請求項２又は３記載の自動販売機の運転制御装置。
【発明の詳細な説明】
【０００１】
【発明の属する技術分野】
本発明は、ホット飲料水を製造するための湯タンク、コールド飲料を製造するための冷却装置や製氷装置を備えた自動販売機の運転制御装置に関する。
【０００２】
【従来の技術】
ホットレギュラーコーヒ等のホット飲料水、コールドレギュラーコーヒや氷入りレギュラーコーヒ等のコールド飲料水を販売動作する自動販売機には、ホット飲料水を製造するための加熱装置を備えた湯タンク、コールド飲料を製造するための冷却装置や製氷装置などが備えられている。
【０００３】
このような自動販売機には、湯タンクの加熱装置、或いは冷却装置及び製氷装置を動作するにあたり、その優先運転すなわちホット優先運転か又はコールド優先運転かを切り換える機能が備えられている。
【０００４】
この優先運転の切り換え方法は、次の通り行われている。
第１に、日ごとにホット優先運転又はコールド優先運転を設定し、これに基づいてホット優先運転又はコールド優先運転を実行する。
【０００５】
第２に、季節ごとにホット優先運転又はコールド優先運転を設定し、これに基づいてホット優先運転又はコールド優先運転を実行する。
第３に、ホット飲料水とコールド飲料水との各売れ行きに基づき、ホット優先運転又はコールド優先運転に切り換える、或いはホット優先運転又はコールド優先運転のいずれかを省エネルギー運転制御として実行する。
【０００６】
【発明が解決しようとする課題】
しかしながら、日又は季節ごとにホット優先運転又はコールド優先運転を設定する方法では、ホット飲料水やコールド飲料水の売れ行きに見合った効率的な運転制御ができず、例えば冬季に売れ行きのよいホット飲料水の販売が売れ切れとなることもある。
【０００７】
又、ホット飲料水とコールド飲料水との各売れ行きに基づくホット優先運転又はコールド優先運転の方法では、これら飲料水の売れ行きに基づいて優先運転、省エネルギー運転を行うものの、売れ行きのよい飲料水の変化があっても、それに直ぐに追従して優先運転を切り換えることはできず、かつある程度売れないと優先運転を切り換えることはできない。
そこで本発明は、実際の飲料水の需要に見合ったホット優先又はコールド優先の運転制御ができる自動販売機の運転制御装置を提供することを目的とする。
【０００８】
【課題を解決するための手段】
請求項１によれば、ホット飲料水を製造するための湯タンク、コールド飲料水を製造するための冷却装置などを備えた自動販売機の運転制御装置において、少なくとも湯タンク内の湯温と、冷却装置により得られる飲料用冷水の温度と、ホット飲料水及びコールド飲料水の各売れ切れか否かの判断結果とに基づいて、湯タンク又は冷却装置に対する優先運転制御を実行し、かつホット飲料水及びコールド飲料水のいずれもが売れ切れであれば、湯タンク及び冷却装置に対する省エネルギー運転制御を実行する運転制御手段を備えた自動販売機の運転制御装置である。
【０００９】
請求項２によれば、ホット飲料水を製造するための湯タンク、コールド飲料を製造するための冷却装置などを備えた自動販売機の運転制御装置において、
ホット飲料水とコールド飲料水との売上げの割合、ホット飲料水とコールド飲料水との各販売の割り当てに基づいて、湯タンク又は冷却装置に対する省エネルギー運転制御を実行する運転制御手段を備えた自動販売機の運転制御装置である。
【００１０】
請求項３によれば、ホット飲料水を製造するための湯タンク、コールド飲料を製造するための冷却装置などを備えた自動販売機の運転制御装置において、少なくとも湯タンク内の湯温と、冷却装置により得られる飲料用冷水の温度と、ホット飲料水及びコールド飲料水の各売れ切れか否かの判断結果とに基づいて、湯タンク又は冷却装置に対する優先運転制御を実行し、かつホット飲料水及びコールド飲料水のいずれもが売れ切れであれば、湯タンク及び冷却装置に対する省エネルギー運転制御を実行する第１の運転制御手段と、ホット飲料水とコールド飲料水との売上げの割合、ホット飲料水とコールド飲料水との各販売の割り当てに基づいて、湯タンク又は冷却装置に対する省エネルギー運転制御を実行する第２の運転制御手段とを備えた自動販売機の運転制御装置である。
【００１１】
請求項４によれば、請求項１又は３記載の自動販売機の運転制御装置において、湯タンク内の湯温が低いとともに冷却装置の飲料用冷水が適温又はホット飲料水が売れ切れでなくコールド飲料水が売れ切れの場合に湯タンクに対する優先運転制御を実行し、かつ冷却装置の飲料用冷水が不適温、ホット飲料水が売れ切れでコールド飲料水が売れ切れでない場合に冷却装置に対する優先運転制御を実行する機能を備えた。
【００１２】
請求項５によれば、請求項１又は３記載の自動販売機の運転制御装置において、湯タンク内の湯温が低温で冷却装置の水温が適温である場合、又は湯タンク内の湯温が適温で冷却装置の水温も適温、冷却装置内に氷があり、ホット飲料水が売れ切れでなく、コールド飲料水が売れ切れの場合に湯タンクに対する優先運転制御を実行し、かつ湯タンク内の湯温が適温で冷却装置の水温が高温の場合、湯タンク内の湯温及び冷却装置の水温が共に適温で、冷却装置内に氷が無い場合、又は湯タンク内の湯温及び冷却装置の水温が共に適温で、冷却装置内に氷があり、かつホット飲料水が全て売れ切れであるが、コールド飲料水は全て売れ切れでない場合に冷却装置に対する優先運転制御を実行する機能を備えた。
請求項６によれば、請求項２又は３記載の自動販売機の運転制御装置において、ホット飲料水の売上げ数が多い場合、ホット飲料水の販売の割り当てが多ければ湯タンクに対して通常運転制御を実行するとともに冷却装置に対して省エネルギー運転制御を実行し、コールド飲料水の販売の割り当てが多ければ湯タンク及び冷却装置に対して各省エネルギー運転制御を実行し、かつコールド飲料水の売上げ数が多い場合、コールド飲料水の販売の割り当てが多ければ冷却装置に対して通常運転制御を実行するとともに湯タンクに対して省エネルギー運転制御を実行し、ホット飲料水の販売の割り当てが多ければ湯タンク及び冷却装置に対して各省エネルギー運転制御を実行する機能を備えた。
【００１３】
【発明の実施の形態】
以下、本発明の一実施の形態について図面を参照して説明する。
湯タンク１には、その底部にヒータ２が設けられている。又、湯タンク１の上部には湯供給口３が設けられ、この湯供給口３に電磁弁４が設けられている。この湯供給口３は、電磁弁４を介して湯供給パイプが接続され、この湯供給パイプが図示しないレギュラーコーヒ用のコーヒ抽出器又はミキシングボールなどを経て、或いはダイレクトでカップの供給される販売口まで延びている。
【００１４】
又、湯タンク外壁面の上部には、湯タンク１の内部の湯温を検出するための温度センサ５が設けられている。
冷却装置１０の水槽１１には、水が貯水され、かつこの水の中には、水槽コンプレッサ１２に接続された冷却器１３が配置されている。
【００１５】
又、水槽１０の内部には、羽根１４が配置され、これが図示しない水槽アジモータに連結されている。この羽根１４は、水槽アジモータにより回転し、水槽１１内の氷に対して水を撹拌し、冷水を水槽１１内に貯えておくものである。
【００１６】
さらに、水道水を供給する給水管１５に給水ポンプ１６を介して冷却管１７が接続され、これが水槽１１の水の内に配置され、飲料用冷水として冷却用希釈水に主として用いられるようになっている。なお、冷却管１７の後続側には、冷却水供給パイプが接続され、これが必要によりミキシングボールなどを経て、又はダイレクトでカップの供給される販売口まで延びている。
【００１７】
又、温度センサ１８は、水槽１１の水の温度を検出し、その水温信号を出力する機能を有している。
製氷装置２０には、製氷するための製氷コンプレッサが備えられ、かつ製氷機内に製氷された氷２１を細かく砕くための粉砕機２２が設けられている。この製氷装置２０の上部には、製氷機内に製氷された氷２１が満氷であるか否かを検出する満氷センサ２３が設けられている。この満氷センサ２３は、製氷機内に製氷された氷２１が満氷とする上位レベル又は下位レベルかを検出し、かつ残量ゼロレベルを検出する機能を有している。
【００１８】
この製氷機２０には、氷放出口２４が設けられ、これに氷供給パイプが接続され、カップの供給される販売口まで延びている。
なお、販売口に投入されるカップには、レギュラーコーヒの抽出液やインスタントコーヒの粉末、又クリーム、砂糖、シロップ等が投入されるようになっている。
【００１９】
一方、運転制御判断装置３０は、湯タンク１のヒータ２への通電制御、冷却装置の水槽コンプレッサ１２の動作制御、製氷装置２０の動作制御を実行する機能を有するもので、コイン機構３１、レギュラーコーヒなどのホット飲料水やコールド飲料水、氷入り飲料水を選択するためのファンクションスイッチ群３２などが接続されている。
【００２０】
このうちコイン機構３１は、コインが投入されると、ファンクションスイッチ群３２で選択された飲料水の代金の決済を行い、釣り銭があれば、この釣り銭に相当するコインを返金する機能を有している。
【００２１】
又、運転制御判断装置３０は、飲料販売カウンタ部３３、セレクションの飲料割当て部３４及び売切要因判断部３５の各機能を動作制御する機能を有している。
【００２２】
このうち飲料販売カウンタ部３３は、ホットレギュラーコーヒ、コールドレギュラーコーヒ等の各飲料水別に売上げ数をカウントする機能を有するもので、図２にその具体的な構成を示す。
【００２３】
運転制御判断装置３０のＣＰＵ４０には、Ｉ／Ｏポート４１が接続され、このＩ／Ｏポート４１に複数の駆動用トランジスタ４２−１〜４２−ｎが接続されている。
【００２４】
そして、これら駆動用トランジスタ４２−１〜４２−ｎには、コネクタ４３を介して複数の電磁カウンタ４４−１〜４４−ｎが接続され、さらにこれら電磁カウンタ４４−１〜４４−ｎが共通接続され、再びコネクタ４３を介して運転制御判断装置３０側の電源Ｖに接続されている。
【００２５】
これら電磁カウンタ４４−１〜４４−ｎは、上記の如くホットレギュラーコーヒ、コールドレギュラーコーヒ等の各飲料水別に売上げ数をカウントし、記憶又は表示するものである。
【００２６】
又、各電磁カウンタ４４−１〜４４−ｎの共通接続されたラインは、コネクタ４３からインバータ４５を介してＩ／Ｏポート４１に接続されている。なお、インバータ４５に限らず、ＣＰＵ４０の処理に応じてアンプを接続してもよい。
【００２７】
上記ＣＰＵ４０は、ファンクションスイッチ群３２からの選択信号及びコイン機構３１からのコイン投入信号に基づいて、選択された飲料水に対応する駆動用トランジスタ４２−１〜４２−ｎに対して駆動信号を送出し、その該当する電磁カウンタ４４−１〜４４−ｎをカウント動作させて売上げ数を記憶・表示させる機能を有し、コイン回収（売り上げ金額回収）時にプリントアウトして売り上げ照合する場合などにも利用される。
【００２８】
又、ＣＰＵ４０は、電磁カウンタ４４−１〜４４−ｎからコネクタ４３、インバータ４５、Ｉ／Ｏポート４１を通して各電磁カウンタ４４−１〜４４−ｎの駆動信号とは反対電位の信号を取り込み、この信号レベルから各電磁カウンタ４４−１〜４４−ｎが運転制御判断装置３０に接続されていることを認識する機能を有している。
【００２９】
なお、ＣＰＵ４０には、Ｉ／Ｏポート４６を介して販売制御回路４７が接続され、かつ販売停止部４８の機能を有している。
販売制御回路４７は、ファンクションスイッチ群３２からの選択信号及びコイン機構３１からのコイン投入信号を取り込むと、ファンクションスイッチ群３２からの選択信号に基づいて、湯タンク１の電磁弁４の開閉制御、冷却装置１０からの飲料用冷水の供給量の制御、又は製氷機２０の氷放出口２４の開閉制御を実行し、ホットレギュラーコーヒ又はコールドレギュラーコーヒ等の各飲料水を製造販売する機能を有している。
【００３０】
又、販売停止部４８は、インバータ４５を通して各電磁カウンタ４４−１〜４４−ｎの駆動信号とは反対電位の信号を取り込み、電磁カウンタ４４−１〜４４−ｎが接続されていないと判断したとき、販売停止を行う機能を有している。
【００３１】
この販売停止部４８は、運転制御判断装置３０の外部に設けられたリセットスイッチ４９が操作されたとき、上記販売停止を復帰する機能を有している。
上記セレクションの飲料割当て部３４は、ファンクションスイッチ群３２においてホット飲料水のスイッチ数とコールド飲料水のスイッチ数との割当て、例えば冬季においてホット飲料水のスイッチ数を「１０」とするとともにコールド飲料水のスイッチ数を「１」として割当て設定し、又は夏季においてコールド飲料水のスイッチ数を「１０」とするとともにホット飲料水のスイッチ数を「１」として割当て設定するものである。
【００３２】
売切要因判断部３５は、温度センサ５から湯タンク１内の湯温信号ａ、温度センサ１８から冷却装置２０内の水温信号ｂ、及び満氷センサ２３からの製氷機２０内の氷レベル信号ｃを取り込み、売れ切れ要因として、湯タンク１内の湯温が低下したか、冷却装置１０内の水温が上昇したか、製氷機内の氷レベルが減少したかを判断すると共に、レギュラーコーヒやインスタントコーヒなどの原料切れによりホット又はコールド飲料水の全売れ切れを判断し、その旨を運転制御判断部３０に知らせる機能を有している。
【００３３】
この運転制御判断部３０は、優先運転制御又は省エネルギー運転制御のための第１の運転制御部３０ａ及び第２の運転制御部３０ｂの各機能を有している。
このうち第１の運転制御部３０ａは、図３に示す売切要因判断のシーケンスに従い、売切要因判断部３５から受け取った湯タンク１内の湯温、冷却装置１０の飲料用冷水の水温、ホット飲料水及びコールド飲料水の各売れ切れか否かの判断結果とに基づいて、湯タンク１のヒータ２、冷却装置１０の水槽コンプレッサ１２、製氷機２０に対する優先運転制御を実行し、かつホット飲料水及びコールド飲料水のいずれもが売れ切れであれば、湯タンク１のヒータ２、冷却装置１０の水槽コンプレッサ１２、製氷機２０に対する省エネルギー運転制御を実行する機能を有している。
【００３４】
具体的に第１の運転制御部３０ａは、湯タンク１内の湯温が低いとともに冷却装置１０からの飲料用冷水が適温又はホット飲料水が売れ切れでなくコールド飲料水が売れ切れの場合に湯タンク１のヒータ２に対するホット優先運転制御を実行し、かつ冷却装置１０からの飲料用冷水が不適温、ホット飲料水が売れ切れでコールド飲料水が売れ切れでない場合に冷却装置１０の水槽コンプレッサ１２に対するコールド優先運転制御を実行する機能を有している。
【００３５】
なお、ホット優先運転は例えば冬季における制御であり、コールド優先運転は例えば夏季における制御である。
第２の運転制御部３０ｂは、図４に示す販売セレクション割当てのシーケンスに従い、ホット飲料水とコールド飲料水との売上げの割合、ホット飲料水とコールド飲料水との各販売の割り当てに基づいて、湯タンク１又は冷却装置２０又は製氷機２０に対する省エネルギー運転制御を実行する機能を有している。
【００３６】
具体的に第２の運転制御部３０ｂは、ホット飲料水の売上げ数が多い場合、ホット飲料水の販売の割り当てが多ければ湯タンク１のヒータ２に対して通常運転制御を実行するとともに冷却装置２０の水槽コンプレッサ１２及び製氷機２０に対して省エネルギー運転制御を実行し、コールド飲料水の販売の割り当てが多ければ湯タンク１のヒータ２、冷却装置２０の水槽コンプレッサ１２及び製氷機２０に対して各省エネルギー運転制御を実行する機能を有している。
【００３７】
第２の運転制御部３０ｂは、コールド飲料水の売上げ数が多い場合、コールド飲料水の販売の割り当てが多ければ湯タンク１のヒータ２に対して省エネルギー運転制御を実行し、ホット飲料水の販売の割り当てが多ければ湯タンク１のヒータ２、冷却装置２０の水槽コンプレッサ１２及び製氷機２０に対して各省エネルギー運転制御を実行する機能を有している。
【００３８】
次に上記の如く構成された装置の作用について説明する。
先ず、売切れ要因による優先運転制御について図３に示す売切要因判断のシーケンスに従って説明する。
【００３９】
通常、運転制御判断部３０は、湯タンク１の温度センサ５から出力される湯温信号ａを取り込み、湯タンク１内の湯温が例えば沸き上げ温度９５℃一定になるようにヒータ２への通電制御を実行する。
【００４０】
これと共に運転制御判断部３０は、冷却装置１０の温度センサ１８から出力される水温信号ｂを取り込み、水槽１１内の水温が例えば０℃〜２℃になるような水槽コンプレッサ１２を動作制御する。
【００４１】
さらに、運転制御判断部３０は、製氷機２０の満氷センサ２３から出力される氷レベル信号ｃを取り込み、製氷機２０内の氷量を満杯とするように製氷動作制御する。
【００４２】
このような通常の動作状態に、コイン機構３１にコインが投入され、例えばホットレギュラーコーヒのファンクションスイッチ３２が操作されると、運転制御判断部３０は、販売口にカップを投入制御し、かつこのカップに湯タンク１からの給湯を受けて製造されたレギュラーコーヒの抽出液を投入し、かつカップ内には選択されたクリーム等を必要により投入する。
【００４３】
又、運転制御判断部３０は、粉末原料を用いるものでは、湯タンク１内の湯を原料入りカップに供給する。これにより例えばホットレギュラーコーヒが販売される。
【００４４】
このような販売動作が行われると共に、運転制御判断部３０のＣＰＵ４０は、ファンクションスイッチ群３２からの選択信号及びコイン機構３１からのコイン投入信号に基づいて、選択された飲料水、例えばホットレギュラーコーヒに対応する駆動用トランジスタ４２−１に対して駆動信号を送出する。
【００４５】
この駆動信号により駆動用トランジスタ４２−１が導通するので、該当する電磁カウンタ４４−１は、カウント動作し、ホットレギュラーコーヒの売上げ数を表示する。
【００４６】
このときＣＰＵ４０は、電磁カウンタ４４−１からコネクタ４３、インバータ４５、Ｉ／Ｏポート４１を通して電磁カウンタ４４−１の駆動信号とは反対電位の信号を取り込み、この信号レベルから電磁カウンタ４４−１が運転制御判断装置３０に接続されていることを認識する。
【００４７】
一方、売切要因判断部３５は、温度センサ５からの湯温信号ａ、温度センサ１８からの水温信号ｂ、及び満氷センサ２３からの氷レベル信号ｃを取り込み、湯タンク１内の湯温が低下したか、冷却装置１０内の水温が上昇したか、製氷機内の氷レベルが減少したかを判断し、かつレギュラーコーヒやインスタントコーヒなどの原料切れによりホット又はコールド飲料水の全売れ切れか否かを判断し、この判断結果を運転制御判断部３０に知らせる。
【００４８】
運転制御判断部３０の第１の運転制御部３０ａは、売切要因判断部３５の判断結果を受け取り、ステップ＃１において湯タンク１内の湯温が低いか否かを判断し、この湯温が低ければ、ホット飲料水を製造するには不適温であると判断し、ステップ＃２に移って冷却装置２０の水温が高温であるか否かを判断する。
【００４９】
この判断の結果、冷却装置２０の水温が高温であれば、冷却装置２０の水温によりコールド飲料水を製造するには不適温であると判断し、元に戻る。
冷却装置２０の水温が高温でなく、コールド飲料水を製造するに適温であれば、第１の運転制御部３０ａは、ステップ＃３に移ってホット優先運転を実行する。
【００５０】
すなわち、冷却装置２０の水温は適温であり、特に運転制御しなくても今の状態であれば、水温は適温を保たれており、第１の運転制御部３０ａは、ホット優先運転としてヒータ２に対して連続して通電を行い、フルパワーで湯タンク１内の湯温を９５℃に沸き上げる。
【００５１】
このように湯タンク１内の湯温が低温で、冷却装置２０の水温が適温になるのは、ホット飲料の需要が増大する例えば冬季に多く生じる状態である。
次に上記ステップ＃１の判断の結果、湯タンク１内の湯温が低温でなく、ホット飲料水を製造するのに適温であれば、第１の運転制御部３０ａは、ステップ＃４に移って冷却装置２０の水温が高温であるか否かを判断する。
【００５２】
この判断の結果、冷却装置２０の水温が高温で、コールド飲料水を製造するに不適温であれば、第１の運転制御部３０ａは、ステップ＃５に移ってコールド優先運転を実行する。
【００５３】
すなわち、湯タンク１内の湯温は適温であり、特に運転制御しなくてもよく、従って、第１の運転制御部３０ａは、コールド優先運転として冷却装置１０の水槽コンプレッサ１２を最大定格で動作させ、水槽１１内の水温を０℃〜２℃に下げる。
【００５４】
このように湯タンク１内の湯温が最適で、冷却装置２０の水温が高く不適温になるのは、コールド飲料の需要が増大する例えば夏季に多く生じる状態である。次に上記ステップ＃４の判断の結果、冷却装置１０の水温が適温であれば、第１の運転制御部３０ａは、ステップ＃６に移って製氷機２０内の氷２１の有無を判断する。
【００５５】
この判断の結果、製氷機２０内に氷２１が無ければ、第１の運転制御部３０ａは、ステップ＃７に移ってコールド優先運転を実行する。すなわち、第１の運転制御部３０ａは、コールド優先運転として製氷機２０を最大定格で動作させ、製氷機２０内に氷２１を満杯とする。
【００５６】
次に上記ステップ＃６の判断の結果、製氷機２０内に氷２１が有れば、第１の運転制御部３０ａは、ステップ＃８に移ってホット飲料水すなわちホットレギュラーコーヒ、ホットインスタントコーヒ等が全て売れ切れか否かを判断する。
【００５７】
この判断の結果、レギュラーコーヒやインスタントコーヒなどの全ての原料が切れていれば、第１の運転制御部３０ａは、全て売れ切れであると判断し、ステップ＃９に移って、今度はコールド飲料水すなわちコールドレギュラーコーヒ、コールドインスタントコーヒ等が全て売れ切れか否かを判断する。
【００５８】
この判断もレギュラーコーヒやインスタントコーヒなどの全ての原料が切れているか否かにより判断するもので、この判断の結果、全て売れ切れでなければ、第１の運転制御部３０ａは、ステップ＃１０に移ってコールド優先運転、すなわち製氷機２０を最大定格で動作させ、製氷機２０内に氷２１を満杯とする。なお、このときホット飲料水の販売の売れ切れ表示で、販売を中止したとき状態での原料補給の待機状態となる。
【００５９】
又、上記ステップ＃９の判断の結果、コールド飲料水が全て売れ切れであれば、第１の運転制御部３０ａは、ステップ＃１１に移って省エネルギー運転を実行する。
【００６０】
この省エネルギー運転は、通常、運転制御判断部３０により湯タンク１内の湯温を例えば沸き上げ温度９５℃一定になるようにヒータ２を通電制御し、冷却装置１０の水槽１１内の水温を例えば０℃〜２℃になるような水槽コンプレッサ１２を動作制御し、かつ製氷機２０内の氷量を満杯とするように製氷機２０を動作制御するが、湯タンク１内を例えば沸き上げ温度６５℃〜８０℃に抑え、冷却装置１０の水槽１１内の水温を例えば５℃〜８℃とし、かつ製氷機２０の動作を停止して氷量が使い切るまで運転しないものとする。
【００６１】
又、省エネルギー運転は、湯タンク１のヒータ２への通電、冷却装置１０及び製氷機２０の動作を間欠的に行ってもよく、湯タンク１内の湯温を保温したり、売れ切れの解消に備えて湯タンク１内の湯をある程度沸き上げるためのヒータ１への通電も含める。
【００６２】
なお、このときは、ホット及びコールト飲料水の売れ切れとして、共に原料の補充待ちの状態となる。
次に上記ステップ＃８の判断の結果、ホット飲料水が売れ切れでなければ、第１の運転制御部３０ａは、ステップ＃１２に移ってコールド飲料水が全て売れ切れか否かを判断する。
【００６３】
この判断の結果、コールド飲料水が全て売れ切れであれば、第１の運転制御部３０ａは、ステップ＃１３に移ってホット優先運転を実行する。なお、このときコールド飲料水の販売の売れ切り表示で、販売を中止した状態での原料補給の待機状態となる。
【００６４】
又、上記ステップ＃１２の判断の結果、コールド飲料水が売れ切れでなければ、湯タンク１内の湯温、冷却装置１０の水温、製氷機２０の氷量、さらにホット及びコールド飲料水のいずれも売れ切れていないという全ての条件が満たされた販売待機状態となる。
【００６５】
以上のようにホット優先運転は、次の場合に実行される。
湯タンク１内の湯温が低温で、冷却装置１０の水温が適温である場合、
湯タンク１内の湯温が適温で、冷却装置１０の水温も適温、製氷機２０内の氷もあり、ホット飲料水が売れ切れでなく、コールド飲料水が売れ切れの場合である。
【００６６】
一方、コールド優先運転は、次の場合に実行される。
湯タンク１内の湯温が適温で、冷却装置１０の水温が高温の場合、
湯タンク１内の湯温及び冷却装置１０の水温が共に適温で、製氷機２０内の氷が無い場合、
湯タンク１内の湯温及び冷却装置１０の水温が共に適温で、製氷機２０内にも氷があり、かつホット飲料水が全て売れ切れであるが、コールド飲料水は全て売れ切れでない場合である。
【００６７】
これに対して第２の運転制御部３０ｂは、図４に示す販売セレクション割当てのシーケンスに従い、ホット飲料水及びコールド飲料水の売上げ数、ホット飲料水とコールド飲料水との各販売の割り当てに基づいて、湯タンク１又は冷却装置２０又は製氷機２０に対する省エネルギー運転制御を実行する。
【００６８】
すなわち、第２の運転制御部３０ｂは、ステップ＃２０において、ホットレギュラーコーヒ、コールドレギュラーコーヒ等の各飲料水別の売上げ数をカウントする飲料販売カウンタ部３３、すなわち各電磁カウンタ４４−１〜４４−ｎのカウントを読み取り、このうちホット飲料水の売上げ数Ｈとコールド飲料水の売上げ数Ｃとを求め、これらホット飲料水売上げ数Ｈとコールド飲料水売上げ数Ｃとを比較する。
【００６９】
この比較の結果、ホット飲料水売上げ数Ｈがコールド飲料水売上げ数Ｃよりも多ければ、第２の運転制御部３０ｂは、ステップ＃２１に移ってセレクションの飲料割当て部３４に割り当て設定されたファンクションスイッチ群３２におけるホット飲料水のスイッチ数とコールド飲料水のスイッチ数との割当て、例えば冬季においてホット飲料水のスイッチ数を「１０」、コールド飲料水のスイッチ数を「１」とする割当て設定を読み取る。
【００７０】
そして、第２の運転制御部３０ｂは、ホット飲料水のスイッチ数とコールド飲料水のスイッチ数との割当てから、コールド飲料水のスイッチ数の方が多ければ、ステップ＃２２に移り、ホット飲料水に対する省エネルギー運転制御を実行すると共にコールド飲料水に対しても省エネルギー運転制御を実行する。
【００７１】
このようにホット飲料水の売上げ数が多いが、コールド飲料水のスイッチ数の方が多く設定されるのは、例えば夏季であり、このときにホット飲料水及びコールド飲料水に対して省エネルギー運転制御を実行する。
【００７２】
ここで、ホット飲料水に対する省エネルギー運転制御は、上記同様に湯タンク１内を例えば沸き上げ温度６５℃〜８０℃に抑えてヒータ２に通電制御するものであり、コールド飲料水に対する省エネルギー運転制御は、冷却装置１０の水槽１１内の水温を例えば５℃〜８℃とし運転し、かつ製氷機２０の動作を停止して氷量が使い切るまで運転しないものとする。
【００７３】
又、上記ステップ＃２１の判断の結果、ホット飲料水のスイッチ数の方が多ければ、第２の運転制御部３０ｂは、ステップ＃２３に移り、ホット飲料水に対する通常運転、コールド飲料水に対して省エネルギー運転制御を実行する。
【００７４】
このようにホット飲料水の売上げ数が多く、かつホット飲料水のスイッチ数の方が多く設定されるのは例えば冬季であり、このときにホット飲料水に対する通常運転、コールド飲料水に対して省エネルギー運転制御が実行される。
【００７５】
一方、上記ステップ＃２０での比較の結果、コールド飲料水売上げ数Ｃがホット飲料水売上げ数Ｈよりも多ければ、第２の運転制御部３０ｂは、ステップ＃２４に移って、上記ステップ＃２１と同様に、セレクションの飲料割当て部３４に割り当て設定されたファンクションスイッチ群３２におけるホット飲料水のスイッチ数とコールド飲料水のスイッチ数との割当て、例えば冬季においてホット飲料水のスイッチ数を「１０」、コールド飲料水のスイッチ数を「１」とする割当て設定を読み取る。
【００７６】
そして、第２の運転制御部３０ｂは、ホット飲料水のスイッチ数とコールド飲料水のスイッチ数との割当てから、ホット飲料水のスイッチ数の方が多ければ、ステップ＃２５に移り、ホット飲料水に対する省エネルギー運転制御を実行すると共にコールド飲料水に対しても省エネルギー運転制御を実行する。
【００７７】
このようにコールド飲料水の売上げ数が多く、かつホット飲料水のスイッチ数の方が多く設定されるのは、例えば秋から冬にかけてであり、このときにはホット飲料水に対する省エネルギー運転、コールド飲料水に対しても省エネルギー運転制御が実行される。
【００７８】
又、上記ステップ＃２４での判断の結果、コールド飲料水のスイッチ数の方が多ければ、第２の運転制御部３０ｂは、ステップ＃２６に移ってホット飲料水に対して省エネルギー運転制御を実行し、コールド飲料水に対して通常の運転制御を実行する。
【００７９】
このようにコールド飲料水の売上げ数が多く、かつコールド飲料水のスイッチ数の方が多く設定されるのは、例えば春から夏にかけてであり、このときにはホット飲料水に対する省エネルギー運転制御、コールド飲料水に対して通常の運転制御が実行される。
【００８０】
このように上記一実施の形態においては、湯タンク１内の湯温、冷却装置１０により得られる飲料用冷水の温度、製氷機２０の氷量、ホット飲料水及びコールド飲料水の売上げ数に基づいて、湯タンク１、冷却装置１０及び製氷機２０に対する優先運転制御又は省エネルギー運転制御を実行し、かつホット飲料水及びコールド飲料水の売上げ数、ホット飲料水とコールド飲料水との各販売の割り当てに基づいて、湯タンク１、冷却装置１０及び製氷機２０に対する省エネルギー運転制御を実行するので、販売するホット飲料水、コールド飲料水の売上げ数の割合が急変した場合、又ファンクションスイッチ群３２におけるホット飲料水とコールド飲料水との割り当てが変更された場合でも、これら場合に顧客に対して適温のホット飲料水、コールド飲料水を早く販売できる。
【００８１】
そのうえ、湯タンク１内の湯温、冷却装置１０により得られる飲料用冷水の温度、製氷機２０の氷量、さらにホット飲料水及びコールド飲料水の各売上げ数に応じてホット又はコールドの優先運転ができ、かつ湯タンク１、冷却装置１０及び製氷機２０に対して省エネルギー運転も実行できる。
【００８２】
さらに、ホット飲料水及びコールド飲料水の各売上げ数やこれら飲料水の割り当てからホット又はコールド優先運転、省エネルギー運転を行うので、実際の顧客の需要に応じた効果的な運転制御ができる。
【００８３】
又、ファンクションスイッチ群３２により選択された飲料水に対応する例えば電磁カウンタ４４−１でその売上げ数をカウントしたとき、この電磁カウンタ４４−１の駆動信号とは反対電位の信号を運転制御判断装置３０で取り込むようにしたので、電磁カウンタ４４−１が運転制御判断装置３０に接続されていることを認識できる。
【００８４】
このような電磁カウンタ４４−１の接続の認識においては、電磁カウンタ４４−１〜４４−ｎと運転制御判断装置３０とを接続する配線が１つの電磁カウンタ当たり１本であり、電磁カウンタ４４−１〜４４−ｎが増加しても接続確認用の配線は複雑となることはない。
【００８５】
又、運転制御判断装置３０側も各電磁カウンタ４４−１〜４４−ｎに対する接続確認用の配線は１本でよい。
これにより、回路全体が単純にでき、低コストにできる。
【００８６】
なお、本発明は、上記一実施の形態に限定されるものでなく次の通り変形してもよい。
例えば、省エネルギー運転としては、湯温や水温等の目標温度を変えて制御する方法でも、又湯タンク１のヒータ２や冷却装置１０、製氷機２０を間欠運転する方法としてもよい。
【００８７】
又、ホット又はコールド優先運転、省エネルギー運転は、湯タンク１の湯温や冷却装置２０の水温、製氷機２０の氷量の条件を全て満たすのでなく、他の条件を用い、上記いずれかの条件のみを用いて行うようにしてもよい。
【００８８】
ホット又はコールド優先運転は、立上がり時の制御も通常運転中（電流制限コントロール時）の制御も該当する。
飲料販売カウンタ部３３、セレクションの飲料割当て部３４は、ホット飲料水とコールド飲料水のカウント値を相対的に比較するのでなく、所定の限定値と比較して判断するようにしてもよい。
又、各電磁カウンタ４４−１〜４４−ｎの共通ラインは、「＋」極側でも「−」極側でも、回路構成で対応が可能である。
【００８９】
【発明の効果】
以上詳記したように本発明によれば、実際の飲料水の需要に見合ったホット優先又はコールド優先の運転制御、さらには湯タンク及び冷却装置に対する省エネルギー運転制御ができる自動販売機の運転制御装置を提供できる。
【図面の簡単な説明】
【図１】本発明に係わる自動販売機の運転制御装置の一実施の形態を示す構成図。
【図２】同装置における飲料販売カウンタ部の具体的な構成図。
【図３】同装置における売切要因判断のシーケンスを示す図。
【図４】同装置における販売セレクション割当てのシーケンスを示す図。
【符号の説明】
１…湯タンク、
２…ヒータ、
１０…冷却装置、
１２…水槽コンプレッサ、
２０…製氷装置、
３０…運転制御判断部、
３３…飲料販売カウンタ部、
３４…セレクションの飲料割当て部、
３５…売切要因判断部、
４３…コネクタ、
４４−１〜４４−ｎ…電磁カウンタ、
３０ａ…第１の運転制御部、
３０ｂ…第２の運転制御部。
【図１】
0003592865.tif 000002
【図２】
0003592865.tif 000003
【図３】
0003592865.tif 000004
【図４】
0003592865.tif 000005